(57)【特許請求の範囲】
【請求項１】
キッチンの上方にレンジフードを備えたキッチン用の照明装置において、
前記レンジフードは、レンジフード本体と、レンジフード上部とからなり、
前記レンジフード上部は前後左右に４枚の目隠しパネルを備え、
前記レンジフード上部の４枚の目隠しパネルのうち、少なくとも調理台側の目隠しパネルに照明器具を設け、
前記照明器具の光の照射方向を調理台の上面に向けてセットすることを特徴とするキッチン用の照明装置。
【請求項２】
前記照明器具への電源供給手段を、前記パネルの内側に設けることを特徴とする請求項１に記載のキッチン用の照明装置。
【請求項３】
前記４枚の目隠しパネルのうち、少なくとも調理台側の目隠しパネルを含む２枚の目隠しパネルの下部に照明器具を設け、
前記調理台側の目隠しパネルに設けられた照明器具の光の照射方向が調理台の上面に向けてセットされ、
前記調理台側以外の目隠しパネルに設けられた照明器具の光の照射方向がレンジ台に向けてセットされることを特徴とする請求項１または２に記載のキッチン用の照明装置。
【請求項４】
前記調理台側の目隠しパネルに設けられた照明器具と、前記調理台側以外の目隠しパネルに設けられた照明器具とが左右対称に配置されていることを特徴とする請求項１ないし３のいずれかに記載のキッチン用の照明装置。
【発明の詳細な説明】
【技術分野】
【０００１】
本発明は、レンジ台及調理台を配置したキッチン用の照明装置に関する。
【背景技術】
【０００２】
レンジ台及調理台を室の中に島型に独立して配置したキッチン（以下アイランドキッチンという）は、複数の人が同時に料理する場合に有効であり、また、カウンターやダイニングテーブルなどを組み込んで、料理を作りながら皆で食事、だんらんあるいはホームパーティなどが楽しめることから、最近、一般家庭においても普及している。
【０００３】
しかし、アイランドキッチンの場合、一般に、アイランドキッチンの上方にレンジフードは設けられるものの、吊戸は設けられない場合が多い。また、壁際にキッチンを設ける場合においても、吊戸が設けられない場合があり、これらいずれの場合も、吊戸に照明装置を設けるという方式が採用できないため、室の天井に設けた照明装置でキッチンのレンジ台及調理台を照らすことになるが、レンジフードが照明の障害になり十分な明るさを確保することができないという問題があった。
【０００４】
一方、レンジフードから、支持棒あるいはブラケットを突出させてその先端にランプを装着してレンジフードの下方を照明するようにした発明が知られている（以下、「従来技術１」という。例えば、特許文献１及び２参照）。また、換気装置の天蓋部を延長して、該延長部の下面に照明器具を装着した厨房装置も知られている（以下、「従来技術２」という。例えば、特許文献３参照）。
【先行技術文献】
【特許文献】
【０００５】
【特許文献１】特開平７−２９３９５７号公報
【特許文献２】特開２０１１−８６５７５号公報
【特許文献３】特開２０１０−５１４１１号公報
【発明の概要】
【発明が解決しようとする課題】
【０００６】
しかしながら、上記従来技術１では、レンジフードから突出させてランプを支持するための支持棒あるいはブラケットを別途用意する必要があり、また、ランプが突出して設けられるため、作業空間が狭く感じられ、レンジフードの高級感が感じられないなどの問題があった。
【０００７】
また、上記従来技術２において、照明器具を設けるためわざわざ換気装置の天蓋部を延長することは不経済であり、また、照明器具に、直接、油分を含んだ燃焼ガスが触れるため照明器具が汚れ易いなどの問題もあった。
【０００８】
本発明は、このような問題点に着目してなされたもので、吊戸の設けられないキッチンの照明において、レンジフードと照明器具との一体感を保ちつつ、レンジフード直下のレンジ台に隣接して設けられた調理台の調理面の照度を確保し、また、レンジフード及び照明器具の高級感が感じられるキッチン用の照明装置を提供することを目的とする。
【課題を解決するための手段】
【０００９】
前記課題を解決するために、本発明のキッチン用の照明装置は、
キッチンの上方にレンジフードを備えたキッチン用の照明装置において、
前記レンジフードは、レンジフード本体と、レンジフード上部とからなり、
前記レンジフード上部は前後左右に４枚の目隠しパネルを備え、
前記レンジフード上部の４枚の目隠しパネルのうち、少なくとも調理台側の目隠しパネルに照明器具を設け、
前記照明器具の光の照射方向を調理台の上面に向けてセットすることを特徴としている。
この特徴によれば、キッチンの上方に吊戸が設けられない場合であっても、レンジフードを利用して、レンジフードと照明器具との一体感が保たれつつ、レンジフード直下のレンジ台に隣接して設けられた調理台の調理面の照度が確保できるキッチン用の照明装置を提供することができる。
【００１０】
本発明のキッチン用の照明装置は、
前記照明器具への電源供給手段を、前記パネルの内側に設けることを特徴としている。
この特徴によれば、照明装置をコンパクトに、かつ、目立たないように構成することができる。
【００１１】
本発明のキッチン用の照明装置は、
前記４枚の目隠しパネルのうち、少なくとも調理台側の目隠しパネルを含む２枚の目隠しパネルの下部に照明器具を設け、
前記調理台側の目隠しパネルに設けられた照明器具の光の照射方向が調理台の上面に向けてセットされ、
前記調理台側以外の目隠しパネルに設けられた照明器具の光の照射方向がレンジ台に向けてセットされることを特徴としている。
この特徴によれば、レンジフードと照明器具との一体感的が保たれつつ、レンジフード直下のレンジ台及び該レンジ台に隣接して設けられた調理台の調理面の両方の照度を確保することができる。
【００１２】
本発明のキッチン用の照明装置は、
前記調理台側の目隠しパネルに設けられた照明器具と、前記調理台側以外の目隠しパネルに設けられた照明器具とが左右対称に配置されていることを特徴としている。
この特徴によれば、２つの照明器具を同様の構造にすることができ、照明器具の種類を削減することができる。
【図面の簡単な説明】
【００１５】
【図１】本発明の実施例１に係るキッチン用の照明装置を模式的に説明する図である。
【図２】図１に示したキッチン用の照明装置の要部を示す斜視図である。
【図３】照明装置を構成する照明器具を説明する断面図である。
【図４】本発明の実施例２に係るキッチン用の照明装置を模式的に説明する図である。
【図５】本発明の実施例３に係るキッチン用の照明装置を模式的に説明する図である。
【発明を実施するための形態】
【００１６】
本発明に係る板材の接合構造を実施するための形態を実施例に基づいて以下に説明する。以下、説明の都合上、アイランドキッチンの場合を例に説明するが、壁際のキッチンにおいても吊戸が設けられない場合にはアイランドキッチンの場合と同様である。
【実施例１】
【００１７】
図１は、本発明の実施例１に係るキッチン用の照明装置を模式的に説明する図である。
【００１８】
図１には、レンジ台１１及調理台１２を室の中に島型に独立して配置したアイランドキッチン１０が示されている。
【００１９】
レンジ台１１の上方には、調理の際に発生する燃焼ガスを屋外に排出するためのレンジフード２０が室の天井から吊り支されている。アイランドキッチンの場合、一般に、アイランドキッチンの上方にレンジフードは設けられるものの、吊戸は設けられない場合が多く、本発明においても、吊戸は設けられていない。
なお、吊戸が設けられない場合、吊戸に照明装置を設けるという方式が採用できないため、室の天井に設けた照明装置でアイランドキッチン１０のレンジ台１１及調理台１２を照らすことになるが、レンジフード２０が光を透過しないため、レンジフード２０が照明の障害になったりして調理台１２を十分な明るさで照らすことができないという問題があった。
【００２０】
レンジフード２０は、レンジフード本体２１と、レンジフード上部２２とからなり、室の天井から下方に向けて設置されている。レンジフード本体２１は、金属等の不燃性材料から形成され、調理の際に発生する燃焼ガスを収集するもので、レンジフード２０の下端に設けられている。
【００２１】
また、レンジフード上部２２は前後左右に木製の目隠しパネル２３，２４，２５（およびここでは図示しない後裏側に配置される目隠しパネル）を備えている。
【００２２】
図１においては、レンジフード本体２１及び正面側の目隠しパネル２３の幅（図１の左右方向の幅）は、ほぼ、同じ大きさに設定されている。また、レンジフード本体２１の奥行寸法は左右の目隠しパネル２４、２５の奥行寸法と同じか、大きく設定されている（図２参照）。
なお、レンジフード本体２１及び正面側の目隠しパネル２３の幅は、同じ大きさに限らず、レンジフード本体２１の幅が正面側の目隠しパネル２３の幅より多少大きくてもよい。
【００２３】
また、４枚の目隠しパネルのうち、少なくとも調理台１２側の目隠しパネル２４の下部に照明器具３０が設けられており、照明器具３０の光の照射方向は、調理台１２の上面に向けてセットされている。このため、アイランドキッチン１０の上方に吊戸が設けられない場合であっても、レンジフード２０を利用して、レンジフード２０直下のレンジ台１１に隣接して設けられた調理台１２の調理面の照度を確保することができる。その際、調理台１２側の目隠しパネル２４に照明器具３０が設けられているため、レンジフード２０と照明器具３０との一体感を保つことができる。
【００２４】
図２は、図１に示したアイランドキッチン用の照明装置の要部を示す斜視図である。照明器具３０は、調理台１２側の目隠しパネル２４に固定され、該パネル２４に接する面以外の面は大気に接する構造とされている。図２において、照明器具３０は、外形が略直方体をなし、目隠しパネル２４の幅とほぼ同じ長さを有し、目隠しパネル２４の幅方向に長く配置されている。
【００２５】
また、照明器具３０への電源を供給するトランス等の電源供給手段４５は調理台１２側の目隠しパネル２４の内側に設けられている。このため、照明装置をコンパクトに、かつ、目立たないように構成することができる。
【００２６】
図３に示すように、照明器具３０は、ＬＥＤランプなどからなる光源３１と該光源３１を覆う金属製の薄板などからなるケース３２を備え、該ケース３２の下面には光を透過させるための透過口３３が設けられ、該透過口３３は光透過部材により覆われる構成となっている。透過口３３は、光源３１からの光がレンジフード本体２１で遮断されるのを少なくするため、目隠しパネル２４から少し離れた位置に設けることが望ましい。
【００２７】
また、光源３１として指向性の大きいＬＥＤランプなどを用いる場合、光源の光軸を照射したい方向にセットするのが望ましい。
【００２８】
上記のように、レンジフード２０の目隠しパネルが美観に優れた木製の化粧板で作製されるため、レンジフード２０及び照明器具３０の高級感を醸し出すことができ、また目隠しパネルとレンジフード本体２１の間には不燃材（図示せず）が介装され、しかも、照明器具３０は目隠しパネル２４以外に接していないから、レンジフード本体２１及びそれに接する部材が熱伝導の良好な金属等の材料から形成された場合でも、消防法の条件を満たすことができる。
【実施例２】
【００２９】
図４は、本発明の実施例２に係るキッチン用の照明装置を模式的に説明する図である。なお、図４において、図１と同じ符号は図１の部材と同じ部材を指しており、詳しい説明は省略する。
【００３０】
図４において、照明器具３０は、４枚の目隠しパネルのうち、調理台１２側の目隠しパネル２４及びレンジ台１１の上方の目隠しパネル、例えば、調理台１２と反対側の目隠しパネル２５との両側の目隠しパネルの下部に設けられている。そして、調理台１２側の目隠しパネル２４に設けられた照明器具３０の光の照射方向は調理台１２の上面に向けてセットされ、調理台１２と反対側の目隠しパネル２５の設けられた照明器具３０の光の照射方向はレンジ台１１に向けてセットされている。なお、調理台１２と反対側の目隠しパネル２５に照明器具３０を設けることに代えて、図示しない後側の目隠しパネルに設け、光の照射方向をレンジ台１１に向けてセットしてもよいことはもちろんである。
【００３１】
上記の構成によれば、レンジフード２０直下のレンジ台１１及び該レンジ台１１に隣接して設けられた調理台１２の調理面の両方の照度を確保することができる。
【００３２】
また、４枚の目隠しパネルのうち、調理台１２側の目隠しパネル２４及び調理台１２と反対側の目隠しパネル２５の２枚のパネルの下部に照明器具３０を設ける場合のように、照明器具３０を左右対称に配置すると、２つの照明器具を同様の構造にすることができ、照明器具の種類を削減することができる。
【実施例３】
【００３３】
図５は、本発明の実施例３に係るキッチン用の照明装置を模式的に説明する図である。図５には、レンジ台１１及調理台１２を室の中に島型に独立して配置したアイランドキッチン１０が示されている。
なお、図５において、図１と同じ符号は図１の部材と同じ部材を指しており、詳しい説明は省略する。
【００３４】
レンジフード４０は、レンジフード本体４１と、該レンジフード本体４１に接続されたレンジフード上部４２とを備え、室の天井から下方に向けて設置されている。レンジフード本体４１は、金属等の不燃性材料から形成され、調理の際に発生する燃焼ガスを収集するもので、レンジフード４０の下端に設けられている。
【００３５】
レンジフード本体４１の下面４１ａには2つの照明器具５０，５１が埋設されている。このうちレンジフード本体下面４１ａにおける調理台１２側に埋設された照明器具５０は、光の照射方向を調理台の上面に向けてセットされている。また、レンジフード本体下面４１ａにおける後方側に埋設された照明器具５１は、光の照射方向をレンジ台１１に向けてセットされている。
【００３６】
上記の構成によれば、レンジフード４０直下のレンジ台１１及び該レンジ台１１に隣接して設けられた調理台１２の調理面をそれぞれ専用の照明で照らすことができるため、レンジ台１１および調理台１２の両方の照度を確保することができる。
なお、レンジフード本体４１の下面４１ａに埋設される照明器具は、１つが調理台１２の上面を向くとともに、さらにもう１つがレンジ台１１を向いていれば設置される数に制限はなく、３つ以上の複数埋設されるようになっていてもよい。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
たとえば、本発明におけるキッチン用の照明装置は、特にアイランドキッチンに対し設けられる場合を例にとり説明してきたが、本発明はアイランドキッチンに限らず、たとえば、壁際に設けられるキッチンにおいて、吊戸を有さないために照明装置を設けることのできない場合にも活用でき、有効にレンジ台に隣接して設けられた調理台の調理面の照度を確保できる。
【００３９】
また、上記実施例１及び２では、レンジフード本体２１及びレンジフード上部２２の幅（図１の左右方向の幅）は、ほぼ、同じ大きさに設定されているが、同じ大きさに限らず、レンジフード本体２１の幅がレンジフード上部２２の幅より多少大きくてもよい。この場合、照明器具３０の取り付け位置をパネルの下部から少し上方に移動するか、あるいは、照明器具３０の光源３１をパネルから少し離した位置になるよう構成にするなど、適宜、設計変更すればよい。
【符号の説明】
【００４０】
１０                アイランドキッチン
１１                レンジ台
１２                調理台
２０                レンジフード
２１                レンジフード本体
２２                レンジフード上部
２３                正面側の目隠しパネル
２４                調理台側の目隠しパネル
２５                調理台と反対側の目隠しパネル
３０                照明器具
３１                光源
３２                ケース
３３                透過口
４０                レンジフード
４１                レンジフード本体
４２                レンジフード上部
【図１】
0005822753.tif 000002
【図２】
0005822753.tif 000003
【図３】
0005822753.tif 000004
【図４】
0005822753.tif 000005
【図５】
0005822753.tif 000006